【手続補正書】
【提出日】平成23年1月25日(2011.1.25)
【手続補正１】
【補正対象書類名】特許請求の範囲
【補正対象項目名】全文
【補正方法】変更
【補正の内容】
【特許請求の範囲】
【請求項１】
光学系内の送信経路の位相を調整するためのシステムであって、
（ａ）出力ポートを有する送信機光源と、
（ｂ）前記送信機光源の前記出力ポートに結合される入力ポートと、該入力ポートから分離された第１のポートとを有し、且つ複数の送信経路出力ポートを有する結合器と、
（ｃ）それぞれが、前記複数の結合器送信経路出力ポートのうちのそれぞれ１つに結合される第１の端部と、光開口で終端する第２の端部とを有する、同数の複数の光送信経路と、
（ｄ）同数の複数の位相変調器であって、該位相変調器のそれぞれは、前記光送信経路のうちの対応する光送信経路に結合される、同数の複数の位相変調器と、
（ｅ）前記光開口のうちの対応する光開口にそれぞれ結合され、前記光開口のうちの前記対応する光開口から出射するときに送信信号の一部を捕捉し、該捕捉された信号部分の方向を変更して、前記光送信経路を通じてそれぞれの前記開口内に戻すようそれぞれ配置される、同数の複数の位相サンプラと、
（ｆ）前記位相サンプラから方向を変更された前記信号部分を受信すると共に方向を変更された前記信号部分に応答してセンサ信号を生成するよう前記結合器の前記第１のポートに結合される送信機センサと、
（ｇ）前記送信機センサから前記センサ信号を受信し、それに応答して、前記複数の位相変調器のそれぞれに制御信号を与えるよう結合される送信制御システムと、を備えるシステム。
【請求項２】
光送信システムの送信経路の位相を調整する方法であって、該方法は、
（ａ）送信信号を生成すること、
（ｂ）複数の送信信号経路を通じて前記送信信号を送ることであって、該複数の送信信号経路のそれぞれはその端部において１つの光開口を有する、送ること、
（ｃ）前記光開口のうちの前記対応する光開口から出射するときに各送信信号の一部の方向を変更して、前記複数の送信信号経路のうちのそれぞれ１つを通じて戻すこと、
（ｄ）方向を変更された各前記信号の位相を検知すること、及び
（ｅ）方向を変更された各前記信号の前記検知された位相に従って前記複数の送信信号経路のうちの少なくとも１つの位相長を調整することを含む、光送信システムの送信経路の位相を調整する方法。
【請求項３】
光送信機の送信経路に位相補正を適用する方法であって、該方法は、
（ａ）短期位相器（short-throw phase shifter）を調整して第１の位相外乱を相殺すること、及び
（ｂ）ＯＰＡを調整して長い位相シフトを相殺することを含む、光送信機の送信経路に位相補正を適用する方法。
【請求項４】
前記複数の位相サンプラのそれぞれは、前記捕捉された信号部分の方向を変更して、来たところから前記同じ光送信経路を通じて戻す、請求項１記載のシステム。
【請求項５】
前記送信制御システムにより与えられる前記制御信号は各光送信経路の別個の有効送信経路長を制御する、請求項４記載のシステム。
【請求項６】
前記送信制御システムは、コヒーレント光源から前記位相サンプラまで進み、前記送信機センサへ戻される位相誤差を無くす、請求項５記載のシステム。
【請求項７】
それぞれが前記複数の開口のうち対応する開口に結合される複数のフィードファイバをさらに備え、前記送信制御システムは該複数のフィードファイバのうち対応するフィードファイバを介して前記複数の開口のそれぞれに結合される光に、時間依存位相変調を適用する、請求項６記載のシステム。
【請求項８】
前記送信制御システムにより与えられる前記時間依存位相変調は、ヒルクライミングサーボタイプループ（hill-climbing servo type loop）が送信信号経路の位相長を調整することによって前記後方に反射される信号部分の検出強度を最大にできるようにし、前記位相サンプリング点における位相間の特定の関係が与えられ、前記システムが照準に合わせられるときにこの関係が同相ビームに対応するように前記システムが較正可能であるようにする、請求項７記載のシステム。
【請求項９】
前記送信制御システムは前記時間依存位相変調を与えるファイバストレッチャを備える、請求項７記載のシステム。
【請求項１０】
前記複数の開口のそれぞれに結合される光に時間依存位相変調を適用することをさらに備える、請求項２記載の方法。
【請求項１１】
前記時間依存位相変調を適用することは、時間依存位相変調を与えるようファイバストレッチャを操作することを含む、請求項１０記載の方法。
【請求項１２】
前記時間依存位相変調は、ヒルクライミングサーボタイプループが、前記送信信号経路の位相長を調整することによって、後方に反射される信号部分の検出強度を最大にできるようにして、位相サンプリング点において検出される前記位相間に特定の関係が与えられるようにし、この関係が同相ビームに対応するように、該ビームが特定のステアリング角に向けられるときに前記システムが較正可能にする、請求項１０記載の方法。
【請求項１３】
前記特定のステアリング角はシステム照準に対応する、請求項１２記載の方法。
【請求項１４】
前記特定のステアリング角とは異なるステアリング角に向けられている前記ビームに応答して、前記方法は、前記特定のステアリング角とは異なるステアリング角における指向から生じる相対的な位相変化を補正することをさらに含む、請求項１２記載の方法。
【請求項１５】
前記特定のステアリング角とは異なるステアリング角における指向から生じる前記相対的な位相変化を補正することは、
前記ビームのステアリングに起因する開口位相誤差を計算すること、
前記計算された位相シフトを前記ビームに直に適用すること、
を含む、請求項１４記載の方法。
【請求項１６】
前記ビームのステアリングに起因する開口位相誤差を計算することは、位相シフト補正を幾何学的に計算することを含む、請求項１５記載の方法。
【請求項１７】
幾何学的に計算された前記位相シフト補正を、送信ビームのみに適用し、前記後方に反射された信号部分には適用しないことをさらに含む、請求項１６記載の方法。
【請求項１８】
第１の位相外乱を相殺するよう短期位相器を調整することは、高速の位相変化を補償するよう短期圧電ファイバ位相器（ＦＰＳ）を調整することを含む、請求項３記載の方法。
【請求項１９】
前記送信経路の光開口から出射するときに位相結合器を介して送信信号の一部を捕捉すること、
前記捕捉された信号部分の少なくともいくつかの方向を変更して、前記各光開口内に戻して前記光送信経路を通じるようにすること、
をさらに含む、請求項１８記載の方法。
【請求項２０】
複数の光送信経路を含む光学システムであって、前記複数の光送信経路のそれぞれは光開口で終端されており、該複数の光送信経路のそれぞれは、
前記光開口に結合され、前記光開口から出射するときに送信信号の一部を捕捉して、該信号部分を反射するか、または他の方法で該信号部分の方向を変更して前記光開口のそれぞれに戻し、前記光送信経路を通じて該信号部分の方向を変更するよう配置される、位相サンプラと、
前記位相サンプラから方向を変更された信号部分に応答し、位相調整を与えて第１の位相外乱を相殺するよう構成される、短期位相器と、
前記位相サンプラから方向を変更された信号部分に応答し、位相調整を与えて長い位相シフトを相殺するよう構成される、光フェーズドアレイ（ＯＰＡ）と、
を含む光学システム。
【請求項２１】
前記短期位相器は短期圧電ファイバ位相器（ＦＰＳ）として与えられ、高速の位相変化を補償するよう適応される、請求項２０記載のシステム。
【請求項２２】
前記短期位相器はＯＰＡ位相器と直列に配置されている、請求項２１記載のシステム。
【請求項２３】
制御ループは前記短期位相器と前記ＯＰＡ位相器の両方に結合され、該制御ループは、長期位相の処理を前記ＯＰＡ位相器に任せながら、高速の位相器を用いて高速の外乱を相殺する、請求項２２記載のシステム。
【請求項２４】
複数の開口を有する光学システムであって、
それぞれが光開口で終端される複数の光送信経路を備え、該光送信経路のそれぞれは、
前記光開口に結合され、前記光開口から出射するときに送信信号の一部を捕捉し、該信号部分を反射するか、または他の方法で該信号部分の方向を変更してそれぞれの前記開口内に戻し、前記光送信経路を通じて該信号部分の方向を変更する、位相サンプラと、
位相シフト範囲を有し、前記位相サンプラからの方向を変更した信号部分に応答する、ファイバ位相器（ＦＰＳ）と、
前記ＦＰＳがその位相シフト範囲の限界に達した時点を検出する位相検出手段と、
前記位相検出手段に応答する信号リセット手段であって、前記ＦＰＳがその位相シフト範囲の限界に達することを示す前記位相検出手段からの信号に応答して、整数の個数の波だけ前記ＦＰＳ位相シフトを動かすリセット信号を適用する、信号リセット手段と、
を含む、光学システム。